(57)【要約】【課題】室内の美観を損ねないインテリア花器として、使用済みペットボトルを再利用するためのカバーを提供する。【解決手段】花器用カバー１０は、同形状の２枚の生地が重ね合わされたカバー本体部１１と、カバー本体部１１の上開口部１２及び下開口部１３を除く側縁を固定する固定部１５と、 下開口部１３の内側に固定され、端部同士が固定された一対の常態で直線状の板バネ１４とを備える。板バネ１４の両端を押さえることにより下開口部１３が開き、ペットボトル１７等の花器に被せて固定することができる。花器から取り外すと、下開口部１３は閉じ、本花器用カバー１０は平坦となって輸送・保管等に便利となる。【選択図】図２
0003157050.tif 000002
【実用新案登録請求の範囲】
【請求項１】
a) 同形状の２枚の生地が重ね合わされたカバー本体部と、
b) 前記カバー本体部の上開口部及び下開口部を除く側縁を固定する固定部と、
c) 前記下開口部の内側に固定され、端部同士が固定された一対の常態で直線状の板バネと
を備えることを特徴とする花器用カバー。
【請求項２】
a) 同形状の２枚の生地が重ね合わされたカバー本体部と、
b) 前記カバー本体部の上開口部及び下開口部を除く側縁を固定する固定部と、
c) 前記下開口部の内側に固定され、端部同士が固定された一対の直線形状を記憶している形状記憶合金製ワイヤーと
を備えることを特徴とする花器用カバー。
【請求項３】
a) 同形状の２枚の生地が重ね合わされたカバー本体部と、
b) 前記カバー本体部の上開口部及び下開口部を除く側縁を固定する固定部と
を備えることを特徴とする花器用カバー。
【請求項４】
前記固定部が前記生地の縁に共布又は別布をパイプ状に包み込むように縫い付けるパイピングにより形成されることを特徴とする請求項１〜３のいずれかに記載の花器用カバー。
【請求項５】
前記生地の裏面に弾力性のある素材が裏打ちされていることを特徴とする請求項１〜４のいずれかに記載の花器用カバー。
【請求項６】
前記弾力性のある素材がアクリルシート又は塩化ビニルシート又は不織布であることを特徴とする請求項５に記載の花器用カバー。
【考案の詳細な説明】
【技術分野】
【０００１】
本考案は、使用済みのペットボトルを再利用するための花器用カバーに関する。
【背景技術】
【０００２】
使用済みのペットボトルは、有料産業廃棄物として廃棄される場合と、再利用される場合とがある。また再利用される場合としては、再生ペレットとして再利用される場合と、加工されずに利用される場合とがある。有料産業廃棄物として廃棄される場合は回収及び廃棄のために、再生ペレットとして再利用される場合は回収及び再生ペレット製造のために、それぞれコストがかかる。
【０００３】
ペットボトルをそのまま再利用すれば、コストはかからない。特許文献１には、使用済みペットボトルを上下に切断し、それぞれを花器として使用することが記載されている。特許文献１に記載されているペットボトルの再利用方法は、低コストの再利用方法の一つである。また、使用済みペットボトルを切断することなく、そのまま花を挿して花器として利用する場合も多い。
【先行技術文献】
【特許文献】
【０００４】
【特許文献１】実用新案登録第3118786号公報
【考案の概要】
【考案が解決しようとする課題】
【０００５】
特許文献１に記載の花器は、ペットボトルを切る手間がかかり、さらに、花を挿入する口が大きく開いているため、花を花器内に固定するための固定具が必要となる。使用済みペットボトルにそのまま花を挿して利用する場合、これらの問題はないが、外観はペットボトルそのままであるため、室内に飾るインテリアとして使用するには不十分である。また、ペットボトルの外表面に装飾を施したとしても、その形状からペットボトルであることが明らかであるため、やはりインテリアとしての調和度が低い。本考案が解決しようとする課題は、室内の美観を損ねることなく、他のインテリアと調和しやすい花器として、使用済みペットボトルを再利用するためのカバーを提供することである。
【課題を解決するための手段】
【０００６】
上記課題を解決するために成された本考案に係る花器用カバーは、
a) 同形状の２枚の生地が重ね合わされたカバー本体部と、
b) 前記カバー本体部の上開口部及び下開口部を除く側縁を固定する固定部と、
c) 前記下開口部の内側に固定され、端部同士が固定された一対の常態で直線状の板バネと
を備えることを特徴とする。
【０００７】
本考案に係る花器用カバーにおいては、同形状の２枚の生地が重ね合わされ、カバー本体部の側縁が固定されていることにより、ペットボトル等に被せる際にはペットボトル等を収納可能な袋状となり、さらにカバー自体が形状を崩すことなく自立することができる。なお、固定部としては、２枚の生地の縁を共布や別布でパイプ状に包み込むように縫い付けるパイピングが好適に用いられる。
【０００８】
また、下開口部の内側に固定された板バネにより、例えばペットボトル等に本カバーを被せる際に下開口部がペットボトル等の底部を挟み、両者を固定することが可能となる。花器用カバーを使用しない時は下開口部は閉じるため、花器用カバーは保管や輸送に便利なシート状となる。
【０００９】
上記課題を解決するために成された本考案に係る他の花器用カバーは、
a) 同形状の２枚の生地が重ね合わされたカバー本体部と、
b) 前記カバー本体部の上開口部及び下開口部を除く側縁を固定する固定部と、
c) 前記下開口部の内側に固定され、端部同士が固定された一対の直線形状を記憶している形状記憶合金製ワイヤーと
を備えることを特徴とする。
【００１０】
本花器用カバーをペットボトル等の花器に被せる際には、花器形状に合わせて下開口部の形状記憶合金製ワイヤーを変形させ、花器の底部に固定する。花器用カバーをペットボトル等の花器から外した後は、形状記憶合金製ワイヤーを所定の温度以上に加熱することによりワイヤーが直線形状に戻るため、下開口部を閉じることができる。従って、この場合も、花器用カバーは保管や輸送に便利なシート状に戻る。
【００１１】
なお、上記下開口部のバネや形状記憶合金ワイヤーは、それらを設けなくても花器用カバーとしては使用可能である。
【考案の効果】
【００１２】
本考案によれば、生地の形状、模様、色彩等を適宜選択することにより、室内の他のインテリアと調和した、美観を損ねないインテリア花器として、使用済みペットボトルを再利用することができるようになる。なお、本考案に係る花器用カバーは、使用済みペットボトルに限らず、使用済みの化粧品や使用済みの飲料用空き瓶等の容器、更には室内用プランター等に対しても適用することが可能である。
【図面の簡単な説明】
【００１３】
【図１】本考案に係る花器用カバーの第１実施例の、下開口部が閉じている状態の斜視図。
【図２】第１実施例の花器用カバーの、下開口部が開いている状態の斜視図。
【図３】ペットボトルに第１実施例の花器用カバーを被せた状態の底面図。
【図４】ペットボトルに第１実施例の花器用カバーを被せた状態の斜視図。
【図５】本考案に係る花器用カバーの第２実施例の、下開口部が閉じている状態の斜視図。
【図６】ペットボトルに第２実施例の花器用カバーを被せた状態の底面図。
【図７】本考案に係る花器用カバーの第３実施例の、下開口部が閉じている状態の斜視図。
【考案を実施するための形態】
【００１４】
図１〜図７を用いて、本考案に係る花器用カバーの３つの実施例を説明する。
【実施例１】
【００１５】
第１の実施例の花器用カバー１０は、図１に示すように、カバー本体部１１と上開口部１２、下開口部１３、一対の板バネ１４、及び固定部１５を有する。カバー本体部１１は同形状の２枚の生地を重ね合わせて成るものであり、本実施例では生地として西陣織を用いた。固定部１５は、カバー本体部１１の上開口部１２及び下開口部１３を除く側縁を固定し、生地の縁にテープ状の布をパイプ状に包み込むように縫い付けるパイピングにより形成した。一対の板バネ１４は、常態で直線状である２枚の板バネの両端部をヒンジにより固定したものである。一対の板バネ１４を下開口部１３に固定するため、２枚の生地の下縁を内側に巻き込み、各板バネ１４を入れるための室をそれぞれ形成して、各室内に板バネ１４を入れる。
【００１６】
次に、本実施例の花器用カバー１０の使用方法を説明する。本実施例の花器用カバー１０は、下開口部１３の一対の板バネ１４の両端を押すことにより、図２に示すように下開口部１３が開き、ペットボトル１７に被せることができる。ペットボトル１７に花器用カバー１０を被せた後は、図３に示すように、一対の板バネ１４の弾性により、ペットボトル１７と花器用カバー１０を固定することができる。
花器用カバー１０をペットボトル１７から取り外すと、一対の板バネ１４は常態の直線状に戻り、下開口部１４が閉じる。これにより、花器用カバー１０は保管や輸送に便利なシート状に戻る。
【００１７】
本実施例の花器用カバー１０は、ペットボトル１７に被せた状態で台等の上に置いておいてもよいし、図４に示すように、上開口部１２からペットボトル１７に花１８を挿しておいてもよい。
花器用カバー１０がペットボトル１７全体を覆うためには、花器用カバー１０はペットボトル１７と同程度以上の高さが必要となる。一方、花器用カバー１０がペットボトル１７に対して高すぎると（大きすぎると）、花器用カバー１０をペットボトル１７に被せ、花器用カバー１０を立たせた際に、花器用カバー１０が不安定になる。そのため、花器用カバー１０の高さとしては、ペットボトル１７の高さの1.1〜1.5倍程度が望ましい。例えば500mLのペットボトルを対象とする場合は、花器用カバー１０は20〜25cmの高さのものを好適に用いることができる。
【実施例２】
【００１８】
次に、本考案の第２実施例として、図５に示すように、下開口部２３の内側に、一対の形状記憶合金製ワイヤー２４を固定した花器用カバー２０を説明する。なおカバー本体部２１、上開口部２２、固定部２５は第１実施例のカバー本体部１１、上開口部１２、固定部１５と同じものを用いた。一対の形状記憶合金製ワイヤー２４は、寸法が直径約0.3cm×長さ約30cmであるＮｉ−Ｔｉ製ワイヤーの端部同士を固定したものであり、予め直線形状を記憶させておく。一対のワイヤー２４を下開口部２３に固定するため、２枚の生地の下縁を内側に巻き込み、ワイヤー２４を入れるための室をそれぞれ形成する。これら室中にワイヤー２４を入れ、一対のワイヤー２４を下開口部２３の内側に固定する。一対のワイヤー２４を下開口部２３に固定することにより、図６に示すように、本花器用カバー２０をペットボトル１７に被せる際は、ペットボトル１７の底部の形状に合わせて下開口部２３を変形させることができる。ペットボトル１７から花器用カバー２０を外した後、一対の形状記憶合金製ワイヤー２４を所定温度以上に加熱することにより、一対のワイヤー２４は元の直線形状に戻り、下開口部２３は閉じる。
【実施例３】
【００１９】
次に、本考案の第３実施例を図７により説明する。本実施例の花器用カバー３０では、カバー本体部３１、上開口部３２及び固定部３５は第１実施例及び第２実施例のそれらと同じものを用いるが、下開口部３３には板バネや形状記憶合金製ワイヤーを入れない。このため、ほとんど力をかけることなく下開口部３３を開け、ペットボトルに本花器用カバー３０を被せることができる。また、本実施例の花器用カバー３０はすべて布で構成されているため、低コストで簡単に製造することができるほか、小さく折りたたむことができるため、多数の花器用カバーをコンパクトに収納しておくことができる。更に、汚れた場合でも洗濯機等で簡単に汚れを落とすことができ、廃棄する場合も板バネや形状記憶合金製ワイヤーを分別する必要はない。
【００２０】
本考案は上記実施例に限定されるものではない。例えば、生地として染物、編物、皮革などを用いることができる。さらにこれらの生地の裏面に、アクリルシートや塩化ビニルシート、不織布などの弾力性のある素材を裏打ちすることで、花器用カバーを花器に被せた際に、花器用カバーの形状を立体的に保持することが可能となる。また、生地として、例えば端切れなど他の目的で使用した残りの生地を組み合わせたもの（パッチワーク）を用いてもよい。これにより、使用済みのペットボトルだけでなく、本来ならば廃棄していた生地も再利用することができる。
【００２１】
また、板バネの両端の固定はヒンジ等により直接板バネの端部同士を固定するだけでなく、板バネの側縁の生地同士を固定することにより間接的に板バネの両端を固定しても良い。形状記憶合金製ワイヤーの場合も同様である。
【符号の説明】
【００２２】
１０、２０、３０…花器用カバー
１１、２１、３１…カバー本体部
１２、２２、３２…上開口部
１３、２３、３３…下開口部
１４…一対の板バネ
２４…一対の形状記憶合金製ワイヤー
１５、２５、３５…固定部
１７…ペットボトル
１８…花
【図１】
0003157050.tif 000003
【図２】
0003157050.tif 000004
【図３】
0003157050.tif 000005
【図４】
0003157050.tif 000006
【図５】
0003157050.tif 000007
【図６】
0003157050.tif 000008
【図７】
0003157050.tif 000009